(57)【要約】【課題】表示面に表示される情報の表示態様の変更方法を改善すること。【解決手段】１つの態様において、電子機器は、画像取得部と、自機が所定の状態にあるかを判定するための情報を検出する検出部と、所定の操作を受け付ける操作部と、前記画像取得部の動作中に前記所定の状態であるという判定結果に応じて自機の各種操作に関する機能設定を前記所定の状態に対応する設定内容に変更する第１の制御、及び前記画像取得部の動作中に前記所定の操作の受付に応じて前記機能設定を前記所定の状態に対応する設定内容に変更する第２の制御のいずれかを実行する制御部とを備える。前記制御部は、前記第１の制御の実行に伴い、当該第１の制御に対応する報知を実行し、前記第２の制御の実行に伴い、当該第２の制御に対応する報知を実行する。【選択図】図１
2016212758.tif 000002
【特許請求の範囲】
【請求項１】
画像取得部と、
自機が所定の状態にあるかを判定するための情報を検出する検出部と、
所定の操作を受け付ける操作部と、
前記画像取得部の動作中に前記所定の状態であるという判定結果に応じて自機の各種操作に関する機能設定を前記所定の状態に対応する設定内容に変更する第１の制御、及び前記画像取得部の動作中に前記所定の操作の受付に応じて前記機能設定を前記所定の状態に対応する設定内容に変更する第２の制御のいずれかを実行する制御部とを備え、
前記制御部は、
前記第１の制御の実行に伴い、当該第１の制御に対応する報知を実行し、
前記第２の制御の実行に伴い、当該第２の制御に対応する報知を実行する電子機器。
【請求項２】
表示部を備え、
前記制御部は、
前記第１の制御の実行に伴い、前記所定の状態に対応する前記機能設定の設定内容の説明を含む第１の報知画面を前記表示部に表示し、
前記第２の制御の実行に伴い、前記所定の状態における自機の利用に際しての事前確認事項を含む第２の報知画面を前記表示部に表示する請求項１に記載の電子機器。
【請求項３】
前記制御部は、
前記第２の制御の実行に伴い、前記第１の報知画面の表示に先だって、前記第２の報知画面を前記表示部に表示する請求項２に記載の電子機器。
【請求項４】
前記操作部としてタッチパネルを備え、
前記制御部は、
前記第１の制御を実行した場合、当該第１の制御の実行に伴って前記タッチパネルへの操作を制限し、
前記第２の制御を実行した場合、前記第２の報知画面の表示後に前記タッチパネルへの操作を制限する請求項１から３のいずれか１つに記載の電子機器。
【請求項５】
前記制御部は、前記検出部により検出される情報に基づいて、自機が水中にあるかを判定し、自機が水中にあると判定した場合、前記機能設定を水中に対応する設定内容に変更する請求項１から４のいずれか１つに記載の電子機器。
【請求項６】
前記制御部は、
前記第１の制御を実行した場合、水中に対応する前記機能設定の設定内容の説明を含む前記第１の報知画面を前記表示部に表示し、
前記第２の制御を実行した場合には、水中における自機の利用に際しての事前確認事項を含む前記第２の報知画面を前記表示部に表示する請求項５に記載の電子機器。
【請求項７】
前記制御部は、前記第２の報知画面の表示後、当該第２の報知画面の確認完了操作を利用者から受け付けることを条件として、前記第２の報知画面の表示を前記表示部から消去し、前記第１の報知画面を前記表示部に表示させる請求項６に記載の電子機器。
【請求項８】
画像取得部を備える電子機器により実行される制御方法であって、
自機が所定の状態にあるかを判定するための情報を検出するステップと、
所定の操作を受け付けるステップと、
前記画像取得部の動作中に前記所定の状態であるという判定結果に応じて自機の各種操作に関する機能設定を前記所定の状態に対応する設定内容に変更する第１の制御を実行するステップと、
前記画像取得部の動作中に前記所定の操作の受付に応じて前記機能設定を前記所定の状態に対応する設定内容に変更する第２の制御を実行するステップと、
前記第１の制御の実行に伴い、当該第１の制御に対応する報知を実行するステップと、
前記第２の制御の実行に伴い、当該第２の制御に対応する報知を実行するステップと
を含む制御方法。
【請求項９】
画像取得部を備える電子機器に、
自機が所定の状態にあるかを判定するための情報を検出するステップと、
所定の操作を受け付けるステップと、
前記画像取得部の動作中に前記所定の状態であるという判定結果に応じて自機の各種操作に関する機能設定を前記所定の状態に対応する設定内容に変更する第１の制御を実行するステップと、
前記画像取得部の動作中に前記所定の操作の受付に応じて前記機能設定を前記所定の状態に対応する設定内容に変更する第２の制御を実行するステップと、
前記第１の制御の実行に伴い、当該第１の制御に対応する報知を実行するステップと、
前記第２の制御の実行に伴い、当該第２の制御に対応する報知を実行するステップと
を実行させる制御プログラム。
【請求項１０】
自機が所定の状態にあるかを判定するための情報を検出する検出部と、
所定の操作を受け付ける操作部と、
アプリケーションの実行中に前記所定の状態であるという判定結果に応じて自機の各種操作に関する機能設定を前記所定の状態に対応する設定内容に変更する第１の制御、及び前記アプリケーションの実行中に前記所定の操作の受付に応じて前記機能設定を前記所定の状態に対応する設定内容に変更する第２の制御のいずれかを実行する制御部とを備え、
前記制御部は、
前記第１の制御の実行に伴い、当該第１の制御に対応する報知を実行し、
前記第２の制御の実行に伴い、当該第２の制御に対応する報知を実行する電子機器。
【発明の詳細な説明】
【技術分野】
【０００１】
本出願は、電子機器、制御方法及び制御プログラムに関する。
【背景技術】
【０００２】
従来、表示面に付着する水が検出された場合、表示面に表示される情報の表示態様を変更する電子機器がある（例えば、特許文献１参照）。
【先行技術文献】
【特許文献】
【０００３】
【特許文献１】特開２０１２−１２３７４０号公報
【発明の概要】
【発明が解決しようとする課題】
【０００４】
従来の電子機器は、表示面に表示される情報の表示態様の変更方法に改善の余地がある。
【課題を解決するための手段】
【０００５】
１つの態様に係る電子機器は、画像取得部と、自機が所定の状態にあるかを判定するための情報を検出する検出部と、所定の操作を受け付ける操作部と、前記画像取得部の動作中に前記所定の状態であるという判定結果に応じて自機の各種操作に関する機能設定を前記所定の状態に対応する設定内容に変更する第１の制御、及び前記画像取得部の動作中に前記所定の操作の受付に応じて前記機能設定を前記所定の状態に対応する設定内容に変更する第２の制御のいずれかを実行する制御部とを備える。前記制御部は、前記第１の制御の実行に伴い、当該第１の制御に対応する報知を実行し、前記第２の制御の実行に伴い、当該第２の制御に対応する報知を実行する。１つの態様に係る電子機器は、自機が所定の状態にあるかを判定するための情報を検出する検出部と、所定の操作を受け付ける操作部と、アプリケーションの実行中に前記所定の状態であるという判定結果に応じて自機の各種操作に関する機能設定を前記所定の状態に対応する設定内容に変更する第１の制御、及び前記アプリケーションの実行中に前記所定の操作の受付に応じて前記機能設定を前記所定の状態に対応する設定内容に変更する第２の制御のいずれかを実行する制御部とを備える。前記制御部は、前記第１の制御の実行に伴い、当該第１の制御に対応する報知を実行し、前記第２の制御の実行に伴い、当該第２の制御に対応する報知を実行する。
【０００６】
１つの態様に係る制御方法は、画像取得部を備える電子機器により実行される制御方法である。前記制御方法は、自機が所定の状態にあるかを判定するための情報を検出するステップと、所定の操作を受け付けるステップと、前記画像取得部の動作中に前記所定の状態であるという判定結果に応じて自機の各種操作に関する機能設定を前記所定の状態に対応する設定内容に変更する第１の制御を実行するステップと、前記画像取得部の動作中に前記所定の操作の受付に応じて前記機能設定を前記所定の状態に対応する設定内容に変更する第２の制御を実行するステップと、前記第１の制御の実行に伴い、当該第１の制御に対応する報知を実行するステップと、前記第２の制御の実行に伴い、当該第２の制御に対応する報知を実行するステップとを含む。
【０００７】
１つの態様に係る制御プログラムは、画像取得部を備える電子機器に実行させるプログラムである。前記制御プログラムは、自機が所定の状態にあるかを判定するための情報を検出するステップと、所定の操作を受け付けるステップと、前記画像取得部の動作中に前記所定の状態であるという判定結果に応じて自機の各種操作に関する機能設定を前記所定の状態に対応する設定内容に変更する第１の制御を実行するステップと、前記画像取得部の動作中に前記所定の操作の受付に応じて前記機能設定を前記所定の状態に対応する設定内容に変更する第２の制御を実行するステップと、前記第１の制御の実行に伴い、当該第１の制御に対応する報知を実行するステップと、前記第２の制御の実行に伴い、当該第２の制御に対応する報知を実行するステップとを前記電子機器に実行させる。
【図面の簡単な説明】
【０００８】
【図１】図１は、実施形態に係るスマートフォンの機能構成を示すブロック図である。
【図２】図２は、実施形態に係るスマートフォンの制御の例を示す図である。
【図３】図３は、実施形態に係るスマートフォンの制御の例を示す図である。
【図４】図４は、実施形態に係るスマートフォンの処理の流れを示すフローチャートである。
【発明を実施するための形態】
【０００９】
本出願に係る電子機器、制御方法及び制御プログラムを実施するための複数の実施形態を、図面を参照しつつ詳細に説明する。以下では、本出願に係る電子機器の一例として、スマートフォンを取り上げて説明する。
【００１０】
（実施形態）
図１を参照しつつ、実施形態に係るスマートフォン１の機能構成の一例を説明する。図１は、実施形態に係るスマートフォンの機能構成を示すブロック図である。以下の説明において、同様の構成要素について同一の符号を付すことがある。さらに、重複する説明は省略することがある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６と、気圧センサ１７とを備える。なお、以下の説明において、「自機」と表記するものはスマートフォン１に対応し、単に「カメラ」と表記するものはカメラ１２又はカメラ１３に対応する。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。タッチスクリーンディスプレイ２は、ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。タッチスクリーンディスプレイ２は、表示部の一例である。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示することができる。ディスプレイ２Ａが表示する文字、画像、記号、及び図形等を含む画面には、ロック画面と呼ばれる画面、ホーム画面と呼ばれる画面、アプリケーションの実行中に表示されるアプリケーション画面が含まれる。ホーム画面は、デスクトップ、待受画面、アイドル画面、標準画面、アプリ一覧画面又はランチャー画面と呼ばれることもある。ディスプレイ２Ａは、表示部の一例である。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等（以下、単に「指」という）がタッチスクリーン２Ｂ（タッチスクリーンディスプレイ２）に接触したときのタッチスクリーン２Ｂ上の位置（以下、接触位置と表記する）を検出することができる。タッチスクリーン２Ｂは、タッチスクリーン２Ｂに対する指の接触を、接触位置とともにコントローラ１０に通知する。タッチスクリーン２Ｂは、検出部および操作部の一例である。ある実施形態において、タッチスクリーン２Ｂは、自機が所定の状態にあるかを判定するための情報を検出する。タッチスクリーン２Ｂは、検出方式として静電容量方式を採用する場合、自機が水中にあるかを判定するための情報として、例えば、静電容量の変化を検出する。他の検出方式として抵抗膜方式又は荷重検出方式を採用する場合、タッチスクリーン２Ｂは、自機が水中にあるかを判定するための情報として、例えば、電圧の大きさの変化を検出してもよい。他の検出方式として表面弾性波方式を採用する場合、タッチスクリーン２Ｂは、自機が水中にあるかを判定するための情報として、例えば、自機が発信する表面弾性波の減衰を検出してもよい。他の検出方式として赤外線方式を採用する場合、タッチスクリーン２Ｂは、自機が水中にあるかを判定するための情報として、例えば、自機が発信する赤外線光の減衰を検出してもよい。
【００１５】
タッチスクリーン２Ｂの検出方式は、静電容量方式に限らず、抵抗膜方式、荷重検出方式、表面弾性波方式、及び赤外線方式等の任意の方式でよい。
【００１６】
コントローラ１０（スマートフォン１）は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０（スマートフォン１）が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
ボタン３は、利用者からの操作入力を受け付ける。ボタン３の数は、単数であっても、複数であってもよい。
【００１８】
照度センサ４は、照度を検出する。照度は、照度センサ４の測定面の単位面積に入射する光束の値である。照度センサ４は、例えば、ディスプレイ２Ａの輝度の調整に用いられる。
【００１９】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２０】
通信ユニット６は、無線により通信する。通信ユニット６によってサポートされる無線通信規格は、例えば、２Ｇ、３Ｇ、４Ｇ等のセルラーフォンの通信規格と、近距離無線の通信規格と、を含んでよい。セルラーフォンの通信規格は、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含んでよい。近距離無線の通信規格は、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を含む。ＷＰＡＮの通信規格は、例えば、ＺｉｇＢｅｅ（登録商標）を含んでよい。通信ユニット６は、上述した通信規格の例示の内１つ又は複数をサポートしていてもよい。
【００２１】
レシーバ７は、音出力部である。レシーバ７は、コントローラ１０から送信される音信号を音として出力する。レシーバ７は、例えば、スマートフォン１にて再生される動画の音、音楽の音、及び通話時の相手の声を出力することができる。マイク８は、音入力部であり、利用者の声等を音信号へ変換してコントローラ１０へ送信する。
【００２２】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムは、フォアグランド又はバックグランドで実行されるアプリケーションと、アプリケーションの動作を支援する制御プログラム（図示略）とを含む。アプリケーションは、例えば、フォアグランドで実行される場合、当該アプリケーションにかかる画面を、ディスプレイ２Ａに表示する。制御プログラムには、例えば、ＯＳが含まれる。プログラムは、通信ユニット６による無線通信又は非一過的な記憶媒体を介してストレージ９にインストールされてもよい。
【００２４】
ストレージ９は、制御プログラム９Ａ、カメラアプリケーション９Ｂ、電話アプリケーション９Ｃ、及び設定データ９Ｚなどを記憶する。
【００２５】
制御プログラム９Ａは、自機が所定の状態にあるかを判定するための情報をタッチスクリーン２Ｂから取得して、自機が所定の状態にあるかを判定する機能を提供する。具体的には、制御プログラム９Ａは、タッチスクリーン２Ｂから取得する静電容量に基づいて、自機が水中にある場合の特異な変化を検出する機能を提供する。タッチスクリーン２Ｂにより測定される静電容量は、自機が水中にある場合、タッチスクリーン２Ｂの各接触点における静電容量が一定の値の近傍で均一となる分布を示すように変化する。制御プログラム９Ａは、この変化を検出することにより、自機が水中にあるかを判定することができる。
【００２６】
ある実施形態において制御プログラム９Ａは、自機が所定の状態にあるかを判定するための情報を気圧センサ１７から取得して、自機が所定の状態にあるかを判定する機能を提供する。具体的には、制御プログラム９Ａは、気圧センサ１７から取得する気圧値の変化に基づいて、自機が水中にある場合の特異な変化を検出する機能を提供する。気圧センサ１７により測定される気圧値は、自機が水中に没すると、急激に上昇する変化を示す。制御プログラム９Ａは、この変化を検出することにより、自機が水中にあるかを判定可能である。
【００２７】
ある実施形態において、制御プログラム９Ａは、自機が所定の状態にあるかを判定するに際して、タッチスクリーン２Ｂの検出結果に基づく判定結果、及び気圧センサ１７の検出結果に基づく判定結果の双方を考慮して、自機が所定の状態にあるかを判定する機能を提供する。実施形態において、制御プログラム９Ａは、例えば、タッチスクリーン２Ｂの検出結果に基づく判定結果、及び気圧センサ１７の検出結果に基づく判定結果の少なくとも一方から、自機が水中にあるという判定結果を得た場合、自機が水中にあるという判定結果を確定するプロセスを採用することができる。なお、制御プログラム９Ａは、タッチスクリーン２Ｂの検出結果に基づく判定結果、及び気圧センサ１７の検出結果に基づく判定結果の双方から、自機が水中にあるという判定結果を得た場合、自機が水中にあるという判定結果を確定するプロセスを採用してもよいし、タッチスクリーン２Ｂの検出結果に基づく判定結果を優先して自機が水中にあるかを判定するプロセスを採用してもよい。
【００２８】
制御プログラム９Ａは、画像取得部の動作中に所定の状態であるという判定結果に応じて自機の各種操作に関する機能設定を所定の状態に対応する設定内容に変更する第１の制御を実行する機能を提供する。具体的には、制御プログラム９Ａは、カメラ１３の動作中に自機が水中にあると判定した場合、自機の機能設定を水中に対応する設定内容に変更する第１の制御を実行する機能を提供する。さらに、制御プログラム９Ａは、画像取得部の動作中に所定の操作の受付に応じて機能設定を所定の状態に対応する設定内容に変更する第２の制御を実行する機能を提供する。具体的には、制御プログラム９Ａは、動作カメラ１３の動作中にカメラ１３の動作形態を水中用に変更する操作を受け付けた場合、自機の機能設定を水中に対応する設定内容に変更する第２の制御を実行する機能を提供する。水中に対応する設定内容は、例えば、タッチスクリーン２Ｂ及びボタン３の操作の無効化、及び動作中のカメラの動作形態を通常用から水中用に変更することを含む。通常用は、地上でのカメラの利用及び水上でのカメラの利用など、カメラの利用形態として水中以外での全ての利用形態を含む。カメラの動作形態は、ユーザインタフェースの構成、及びカメラにより取得された画像に対する処理の各種設定を含む。
【００２９】
制御プログラム９Ａは、上記第１の制御の実行に伴い、第１の制御に対応する報知を実行する機能を提供する。具体的には、制御プログラム９Ａは、第１の制御の実行に伴い、所定の状態に対応する自機の各種操作に関する機能設定の設定内容の説明を含む第１の報知画面を表示部に表示する機能を提供する。例えば、制御プログラム９Ａは、第１の制御を実行した場合、水中に対応する機能設定の設定内容の説明を含む第１の報知画面をディスプレイ２Ａに表示する。
【００３０】
制御プログラム９Ａは、上記第２の制御の実行に伴い、第２の制御に対応する報知を実行する機能を提供する。具体的には、制御プログラム９Ａは、第２の制御の実行に伴い、第１の報知画面の表示に先だって、所定の状態における自機の利用に際しての事前に確認する事項を含む第２の報知画面を表示部に表示する機能を提供する。例えば、制御プログラム９Ａは、第２の制御を実行した場合、第１の報知画面の表示に先だって、水中における自機の利用に際しての事前確認事項を含む第２の報知画面をディスプレイ２Ａに表示する。また、制御プログラム９Ａは、第２の報知画面の表示後、当該第２の報知画面の確認完了操作を利用者から受け付けることを条件として、第２の報知画面の表示をディスプレイ２Ａから消去し、第１の報知画面をディスプレイ２Ａに表示する機能を提供する。なお、第１の報知画面は、水中に対応する機能設定の設定内容の説明を含む画面であれば、第１の制御の実行に伴い表示するものと、第２の報知画面の表示後に表示するものとを同じにすることもできるし、異にすることもできる。ある実施形態において、スマートフォン１は、第１の報知画面の表示を省略するよう設定することができる。第１の報知画面の表示を省略するよう設定することで、第１の制御の実行後、或いは第２の報知画面の表示後において、直ぐに画像および動画像の撮影を行うことができる。ある実施形態において、スマートフォン１は、第２の報知画面の表示を省略するよう設定できない場合がある。スマートフォン１において第２の報知画面の表示を省略するよう設定できないと、ユーザが水中における自機の利用に際しての事前確認をうながすことができる。
【００３１】
カメラアプリケーション９Ｂは、画像および動画像の撮影、編集および管理などを行う機能を提供する。実施形態において、カメラアプリケーション９Ｂは、通常用としてカメラ１３（あるいはカメラ１２）を利用する場合のカメラアプリケーション画面、及び水中でカメラ１３（あるいはカメラ１２）を利用する場合のカメラアプリケーション画面を提供する機能を有する。
【００３２】
電話アプリケーション９Ｃは、無線通信による通話のための通話機能を提供する。
【００３３】
設定データ９Ｚは、制御プログラム９Ａなどにより提供される機能に基づいて実行される処理、及びカメラアプリケーション９Ｂなどにより提供される機能に基づいて実行される処理に用いられる各種データを含む。設定データ９Ｚは、自機が水中にあるかを判定するためのデータを含む。自機が水中にあるかを判定するためのデータは、水中における静電容量の変化量の分布に関する参照データ、及び水中における気圧の変化に関する参照データを含む。設定データ９Ｚは、カメラアプリケーション９Ｂの各種機能を実現するためのデータを含む。
【００３４】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３５】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６及び気圧センサ１７を含むが、これらに限定されない。
【００３６】
コントローラ１０は、制御プログラム９Ａを実行することにより、第１の制御の実行に伴い、第１の制御に対応する報知を実行する処理を行う。コントローラ１０は、制御プログラム９Ａを実行することにより、第２の制御の実行に伴い、第２の制御に対応する報知を実行する処理を行う。以下、図２及び図３を参照しつつ、実施形態に係るスマートフォン１の制御の例を説明する。図２及び図３は、実施形態に係るスマートフォンの制御の例を示す図である。以下の説明において、単に「カメラ」と表記するものは、カメラ１２及びカメラ１３に該当する。以下の説明において、「自機」と表記するものは、スマートフォン１に該当する。
【００３７】
図２を用いて、スマートフォン１が第１の制御に対応する報知を行う制御について説明する。スマートフォン１は、例えば、地上でカメラの動作操作を検出すると、カメラアプリケーション９Ｂを実行し、ステップＳ１１に示すように、通常用のカメラアプリケーション画面Ｓ１をディスプレイ２Ａに表示する。
【００３８】
続いて、スマートフォン１は、カメラを動作中（以下、単にカメラ動作中という。）に自機が水中にあると判定した場合、自機の機能設定を水中に対応する設定内容に変更する第１の制御を実行し、第１の制御に対応する報知を実行する。例えば、ステップＳ１２に示すように、スマートフォン１は、第１の制御に対応する報知として、水中に対応する機能設定の設定内容の説明Ｄ１を含む第１の報知画面Ｓ２をディスプレイ２Ａに表示する。すなわち、スマートフォン１は、カメラ動作中に自機が水中にあると検出した場合、利用者がスマートフォン１を水中で利用中であることを前提として、水中でスマートフォン１を操作する際の機能制限等について利用者に報知する。
【００３９】
続いて、スマートフォン１は、第１の報知画面Ｓ２を表示した後、一定時間が経過すると、ステップＳ１３に示すように、水中用のカメラアプリケーション画面Ｓ３をディスプレイ２Ａに表示させる。
【００４０】
図３を用いて、スマートフォン１が第２の制御に対応する報知を行う制御について説明する。スマートフォン１は、例えば、地上でカメラの動作操作を検出すると、カメラアプリケーション９Ｂを実行し、ステップＳ２１に示すように、通常用のカメラアプリケーション画面Ｓ１をディスプレイ２Ａに表示する。
【００４１】
続いて、スマートフォン１は、カメラ動作中にカメラの動作形態を水中用に変更する操作を受け付けると、自機の機能設定を水中に対応する設定内容に変更する第２の制御を実行し、第２の制御に対応する報知を実行する。言い換えると、スマートフォン１は、カメラアプリケーション９Ｂを実行中に、カメラの動作形態を水中用に変更する操作を受け付けると、自機の機能設定を水中に対応する設定内容に変更する第２の制御を実行し、第２の制御に対応する報知を実行する。例えば、ステップＳ２２に示すように、スマートフォン１は、第２の制御に対応する報知として、第１の報知画面Ｓ２の表示に先だって、水中における自機の利用に際して事前に確認する事項Ｄ２を含む第２の報知画面Ｓ４をディスプレイ２Ａに表示する。すなわち、スマートフォン１は、カメラ動作中にカメラの動作形態を水中用に変更する操作が手動で行われた場合、スマートフォン１を水に接触させる事前に、スマートフォン１の防水を促すための確認事項を利用者に報知する。すなわち、前記操作が手動で行われた場合、スマートフォン１が水中で利用される直前の段階にあるものと推定されることから、スマートフォン１は、防水を促すための確認事項を利用者に報知する。スマートフォン１の防水を促すための確認事項には、例えば、スマートフォン１に設けられる各種キャップ類が確実に閉まっているかを利用者に確認させるための手順が含まれる。
【００４２】
続いて、スマートフォン１は、第２の報知画面Ｓ４に設けられた操作部Ｂ１に対する操作を検出すると、第２の報知画面Ｓ４の表示をディスプレイ２Ａから消去し、ステップＳ２３に示すように、第１の報知画面Ｓ２をディスプレイ２Ａに表示する。操作部Ｂ１に対する操作は、事前確認事項Ｄ２の確認完了操作の一例である。
【００４３】
続いて、スマートフォン１は、第１の報知画面Ｓ２を表示した後、一定時間が経過すると、ステップＳ２４に示すように、水中用のカメラアプリケーション画面Ｓ３をディスプレイ２Ａに表示させる。
【００４４】
スピーカ１１は、音出力部である。スピーカ１１は、コントローラ１０から送信される音信号を音として出力する。スピーカ１１は、例えば、着信音及び音楽を出力するために用いられる。レシーバ７及びスピーカ１１の一方が、他方の機能を兼ねてもよい。
【００４５】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１３は、カメラ１２及びカメラ１３は、インカメラ及びアウトカメラを切り換えて利用可能なカメラユニットとして、機能的及び物理的に統合された状態でスマートフォン１に実装されてもよい。
【００４６】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４７】
加速度センサ１５は、スマートフォン１に作用する加速度の方向及び大きさを検出する。方位センサ１６は、例えば、地磁気の向きを検出し、地磁気の向きに基づいて、スマートフォン１の向き（方位）を検出する。気圧センサ１７は、スマートフォン１に作用する気圧を検出する。
【００４８】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信し、受信した電波信号の復調処理を行って、処理後の信号をコントローラ１０に送出することにより、スマートフォン１の現在位置の演算処理をサポートする。バイブレータは、スマートフォン１の一部又は全体を振動させる。バイブレータは、振動を発生させるために、例えば、圧電素子、又は偏心モータなどを有する。図１には示していないが、バッテリなど、スマートフォン１の機能を維持するために当然に用いられる機能部、及びスマートフォン１の制御を実現するために当然に用いられる制御部は、スマートフォン１に実装される。
【００４９】
図４を参照しつつ、実施形態に係るスマートフォン１により実行される処理の流れの一例を説明する。図４は、実施形態に係るスマートフォンの処理の流れを示すフローチャートである。図４に示す処理は、コントローラ１０が、ストレージ９に記憶されている制御プログラム９Ａ及びカメラアプリケーション９Ｂを実行することにより実現される。以下の説明において、単に「カメラ」と表記するものは、カメラ１２及びカメラ１３に該当する。以下の説明において、「自機」と表記するものは、スマートフォン１に該当する。
【００５０】
図４に示すように、コントローラ１０は、ステップＳ１０１として、カメラ動作中であるかを判定する。
【００５１】
コントローラ１０は、判定の結果、カメラ動作中である場合（ステップＳ１０１，Ｙｅｓ）、ステップＳ１０２として、水中にあるかを判定する。
【００５２】
コントローラ１０は、判定の結果、水中ではない場合（ステップＳ１０２，Ｎｏ）、ステップＳ１０３として、カメラの動作形態を水中用に変更する操作が受け付けられたかを判定する。
【００５３】
コントローラ１０は、判定の結果、カメラの動作形態を水中用に変更する操作が受け付けられていない場合（ステップＳ１０３，Ｎｏ）、上記ステップＳ１０１の判定に戻る。
【００５４】
一方、コントローラ１０は、判定の結果、カメラの動作形態を水中用に変更する操作が受け付けられた場合（ステップＳ１０３，Ｙｅｓ）、ステップＳ１０４として、自機の機能設定を水中に対応する設定内容に変更する第２の制御を実行する。
【００５５】
続いて、コントローラ１０は、ステップＳ１０５として、水中での自機の利用に際しての事前確認事項を含む第２の報知画面をディスプレイ２Ａに表示する。
【００５６】
続いて、コントローラ１０は、ステップＳ１０６として、事前確認事項の確認完了操作を受け付けたかを判定する。
【００５７】
コントローラ１０は、判定の結果、事前確認事項の確認完了操作を受け付けていない場合（ステップＳ１０６，Ｎｏ）、ステップＳ１０６の判定を繰り返す。
【００５８】
一方、コントローラ１０は、判定の結果、事前確認事項の確認完了操作を受け付けた場合（ステップＳ１０６，Ｙｅｓ）、ステップＳ１０７として、水中に対応する自機の機能設定の設定内容の説明を含む第１の報知画面をディスプレイ２Ａに表示する。
【００５９】
続いて、コントローラ１０は、ステップＳ１０８として、第１の報知画面を表示してから一定時間が経過したかを判定する。
【００６０】
コントローラ１０は、判定の結果、第１の報知画面を表示してから一定時間が経過していない場合（ステップＳ１０８，Ｎｏ）、ステップＳ１０８の判定を繰り返す。
【００６１】
一方、コントローラ１０は、判定の結果、第１の報知画面を表示してから一定時間が経過した場合（ステップＳ１０８，Ｙｅｓ）、水中用のカメラアプリケーション画面を表示し（ステップＳ１０９）、図４に示す処理を終了する。
【００６２】
上記ステップＳ１０２において、コントローラ１０は、判定の結果、自機が水中にある場合（ステップＳ１０２，Ｙｅｓ）、ステップＳ１１０として、自機の機能設定を水中に対応する設定内容に変更する第１の制御を実行し、上記ステップＳ１０７の処理手順に進む。
【００６３】
上記ステップＳ１０１において、コントローラ１０は、判定の結果、カメラ動作中ではない場合（ステップＳ１０１，Ｎｏ）、図４に示す処理を終了する。
【００６４】
上記実施形態において、スマートフォン１は、カメラ動作中に自機が水中にあると検出された場合、利用者がスマートフォン１を水中で利用中であることを前提として、水中でスマートフォン１を操作する際の機能制限等について利用者に報知する。一方、スマートフォン１は、カメラ動作中にカメラの動作形態を水中用に変更する操作が手動で行われた場合、スマートフォン１を水に接触させる前に、スマートフォン１の防水を促すための確認事項を利用者に報知する。すなわち、前記操作が手動で行われた場合、スマートフォン１が水中で利用される直前の段階にあるものと推定されることから、スマートフォン１は、防水を促すための確認事項を利用者に報知する。このようなことから、上記実施形態によれば、利便性の高い報知制御を実現できる。
【００６５】
上記の実施形態において、スマートフォン１は、水中における自機の利用に際しての事前確認事項を含む第２の報知画面をディスプレイ２Ａに表示する例を説明した。しかしながら、これに限定されるものではなく、スマートフォン１は、水中における自機の利用に際しての事前確認事項を、音声ガイダンスなどの音により報知してもよい。
【００６６】
上記の実施形態で説明した処理は、スマートフォン１以外にも、水中で操作することが想定される他の電子機器についても同様に適用できる。
【００６７】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００６８】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  カメラアプリケーション
９Ｃ  電話アプリケーション
９Ｚ  設定データ
１０  コントローラ
１１  スピーカ
１２  カメラ
１３  カメラ
１４  コネクタ
１５  加速度センサ
１６  方位センサ
１７  気圧センサ
【図１】
2016212758.tif 000003
【図２】
2016212758.tif 000004
【図３】
2016212758.tif 000005
【図４】
2016212758.tif 000006